(57)【要約】【課題】検査業務において確認漏れが発生することを防止すること。【解決手段】検査記録装置は、表示部と、検査対象物に関する画像情報と前記検査対象物の損傷状態に関する情報と対応付けて構成される検査記録データ、及び前記損傷状態に関する情報が確認済みの状態であるか否かを示す情報を記憶する記憶部と、前記記憶部に記憶されている前記検査記録データを読み込んで、前記画像情報に対応する画像上に前記損傷状態に関する情報を展開して前記表示部に表示させる表示制御部と、前記表示部に表示された前記損傷状態に関する情報に対する操作を検出する検出部と、前記検出部により前記操作が検出された場合に、前記損傷状態に関する情報に対応付けて、当該損傷状態に関する情報が確認済みであることを示す情報を前記記憶部に保存する保存部と、前記検出部により前記操作が検出された場合に、前記損傷状態に関する情報の表示態様を変更する変更部とを有する。【選択図】図２
2015078964.tif 000002
【特許請求の範囲】
【請求項１】
表示部と、
検査対象物に関する画像情報と前記検査対象物の損傷状態に関する情報と対応付けて構成される検査記録データ、及び前記損傷状態に関する情報が確認済みの状態であるか否かを示す情報を記憶する記憶部と、
前記記憶部に記憶されている前記検査記録データを読み込んで、前記画像情報に対応する画像上に前記損傷状態に関する情報を展開して前記表示部に表示させる表示制御部と、
前記表示部に表示された前記損傷状態に関する情報に対する操作を検出する検出部と、
前記検出部により前記操作が検出された場合に、前記損傷状態に関する情報に対応付けて、当該損傷状態に関する情報が確認済みであることを示す情報を前記記憶部に保存する保存部と、
前記検出部により前記操作が検出された場合に、前記損傷状態に関する情報の表示態様を変更する変更部と
を有することを特徴とする検査記録装置。
【請求項２】
前記変更部は、前記損傷状態に関する情報の表示色を、前記検出部により前記操作が検出されていない前記損傷状態に関する情報の表示色とは異なる色に変更することを特徴とする請求項１に記載の検査記録装置。
【請求項３】
前記表示制御部は、前記画像情報に対応する画像上に前記損傷状態に関する情報を展開して前記表示部に表示させる際に、前記損傷状態に関する情報と前記確認済みであるか否かを示す情報とが対応付けられた一覧情報を、前記表示部にさらに表示させる請求項１又は２に記載の検査記録装置。
【請求項４】
前記検出部は、前記一覧情報に対する操作を検出し、
前記表示制御部は、前記検出部により前記一覧情報に対する操作が検出された場合に、前記画像上に展開された前記損傷状態に関する情報の対応箇所を強調表示する請求項３に記載の検査記録装置。
【請求項５】
前記保存部は、前記損傷状態に関する情報が複数ある場合、複数の前記損傷状態に関する情報のそれぞれに対して前記検出部により前記操作が検出された場合に、前記損傷状態に関する情報に対応付けて、当該損傷状態に関する情報が確認済みであることを示す情報を前記記憶部に保存する請求項１〜４のいずれか１つに記載の検査記録装置。
【請求項６】
検査記録装置に実行させる検査記録方法であって、
検査対象物に関する画像情報と前記検査対象物の損傷状態に関する情報と対応付けて構成される検査記録データを記憶部から読み込んで、前記画像情報に対応する画像上に前記損傷状態に関する情報を展開して表示させるステップと、
前記損傷状態に関する情報に対する操作が検出された場合に、前記損傷状態に関する情報に対応付けて、当該損傷状態に関する情報が確認済みであることを示す情報を記憶部に保存し、前記損傷状態に関する情報の表示態様を変更するステップと
を含むことを特徴とする検査記録方法。
【発明の詳細な説明】
【技術分野】
【０００１】
本発明は、検査記録装置及び検査記録評価方法に関する。
【背景技術】
【０００２】
従来、検査業務において、検査対象物の確認箇所について確認漏れがないかを徹底する取り組みが行われている。例えば、特許文献１では、検査対象となる画像の確認作業の時間を計測し、計測した時間が一定時間を超過しているかを判定することにより、確認抜けを防止する技術が開示されている。
【先行技術文献】
【特許文献】
【０００３】
【特許文献１】特許４５３８７９０号公報
【発明の概要】
【発明が解決しようとする課題】
【０００４】
しかしながら、上記検査業務の対象となる検査対象物によっては、確認箇所が膨大となる場合もある。このため、上記特許文献１に開示されている技術のように、計測した確認作業の時間が一定時間を超過したかを判定するという単純な方法では、確認箇所が膨大となる検査対象物の検査業務において確認漏れが発生する恐れもある。
【０００５】
本発明は、検査業務において確認漏れが発生することを防止することができる検査記録装置及び検査記録評価方法を提供することを目的とする。
【課題を解決するための手段】
【０００６】
上述した課題を解決し、目的を達成するために、本発明に係る検査記録装置は、１つの態様として、表示部と、検査対象物に関する画像情報と前記検査対象物の損傷状態に関する情報と対応付けて構成される検査記録データ、及び前記損傷状態に関する情報が確認済みの状態であるか否かを示す情報を記憶する記憶部と、前記記憶部に記憶されている前記検査記録データを読み込んで、前記画像情報に対応する画像上に前記損傷状態に関する情報を展開して前記表示部に表示させる表示制御部と、前記表示部に表示された前記損傷状態に関する情報に対する操作を検出する検出部と、前記検出部により前記操作が検出された場合に、前記損傷状態に関する情報に対応付けて、当該損傷状態に関する情報が確認済みであることを示す情報を前記記憶部に保存する保存部と、前記検出部により前記操作が検出された場合に、前記損傷状態に関する情報の表示態様を変更する変更部とを有することを特徴とする。
【０００７】
この検査記録装置では、検査対象物に関する画像上に展開された損傷状態に関する情報のうち、利用者により操作された情報の表示態様を変更するので、検査対象物の損傷のうち確認済みであるものを容易に確認させることができる。
【０００８】
また、本発明の望ましい態様としては、前記変更部は、前記損傷状態に関する情報の表示色を、前記画像情報の表示色とは異なる色に変更することが望ましい。
【０００９】
この態様では、検査対象物に関する画像上に展開された損傷状態に関する情報のうち、利用者により操作された情報の表示色を、利用者により操作されていない情報の表示色とは異なる色に変更するので、確認済みの情報を利用者に容易に視認させることができる。
【００１０】
また、本発明の望ましい態様としては、前記損傷状態に関する情報と前記確認済みであることを示す情報とが対応付けられた一覧情報を、前記表示部にさらに表示させることが望ましい。
【００１１】
この態様では、検査対象物に関する画像上に展開された損傷状態に関する情報を表示させる際に、損傷情報が確認済みの状態であるか否かをリストとしてさらに表示するので、損傷情報が確認済みの状態であるか否かを利用者に容易に確認させることができる。
【００１２】
また、本発明の望ましい態様としては、前記検出部は、前記一覧情報に対する操作を検出し、前記表示制御部は、前記検出部により前記一覧情報に対する操作が検出された場合に、前記画像上に展開された前記損傷状態に関する情報の対応箇所を強調表示することが望ましい。
【００１３】
この態様では、リスト内で損傷情報が確認済みであるか否かを利用者に確認させつつ、検査対象物の損傷状態を確認する利用者の利便性を向上させることができる。
【００１４】
また、本発明の望ましい態様としては、前記保存部は、前記損傷状態に関する情報が複数ある場合、複数の前記損傷状態に関する情報のそれぞれに対して前記検出部により前記操作が検出された場合に、前記損傷状態に関する情報に対応付けて、当該損傷状態に関する情報が確認済みであることを示す情報を前記記憶部に保存することが望ましい。
【００１５】
この態様では、検査対象物の損傷状態を全て確認するという作業を利用者に徹底させることができる。
【００１６】
また、上述した課題を解決し、目的を達成するために、本発明は、検査記録装置に実行させる検査記録方法であって、検査対象物に関する画像情報と前記検査対象物の損傷状態に関する情報と対応付けて構成される検査記録データを記憶部から読み込んで、前記画像情報に対応する画像上に前記損傷状態に関する情報を展開して表示させるステップと、前記損傷状態に関する情報に対する操作が検出された場合に、前記損傷状態に関する情報に対応付けて、当該損傷状態に関する情報が確認済みであることを示す情報を記憶部に保存し、前記損傷状態に関する情報の表示態様を変更するステップとを含むことを特徴とする。
【００１７】
この検査記録方法は、検査対象物に関する画像上に展開された損傷状態に関する情報のうち、利用者により操作された情報の表示態様を変更するので、検査対象物の損傷のうち確認済みであるものを容易に確認させる方法を実現できる。
【発明の効果】
【００１８】
本発明に係る検査記録装置および検査記録評価方法は、検査対象物の検査業務において確認漏れを防止できるという効果を奏する。
【図面の簡単な説明】
【００１９】
【図１】図１は、本実施例に係る概念的な構成の一例を示す図である。
【図２】図２は、本実施例に係る検査記録装置の機能構成の一例を示すブロック図である。
【図３】図３は、管理データのデータ構成の一例を示す図である。
【図４】図４は、損傷状態確認状況データのデータ構成の一例を示す図である。
【図５】図５は、色属性決定テーブルのテーブル構成の一例を示す図である。
【図６】図６は、色属性決定テーブルのテーブル構成の他の例を示す図である。
【図７】図７は、実施例１に係る検査記録装置により実行される処理の流れを示すフローチャートである。
【図８】図８は、検査記録画面の構成例を示す図である。
【図９】図９は、図７に示す処理における損傷状態に関する情報の遷移例を示す図である。
【図１０】図１０は、図７に示す処理における検査記録画面の遷移例を示す図である。
【図１１】図１１は、図７に示す処理における検査記録画面の遷移例を示す図である。
【図１２】図１２は、実施例２に係る検査記録装置により実行される処理の流れを示すフローチャートである。
【図１３】図１３は、実施例２に係る検査記録画面に表示される情報の一例を示す図である。
【図１４】図１４は、実施例３に係る検査記録装置により実行される処理の流れを示すフローチャートである。
【図１５】図１５は、図１４に示す処理における検査記録画面の遷移例を示す図である。
【図１６】図１６は、実施例３に係る強調表示処理の流れを示すフローチャートである。
【図１７】図１７は、実施例３に係る強調表示処理の説明に用いる図である。
【発明を実施するための形態】
【００２０】
以下に、本発明に係る検査記録装置及び検査記録評価方法の実施例を図面に基づいて詳細に説明する。なお、この実施例によりこの発明が限定されるものではない。さらに、この実施例における構成要素には、当業者が容易に想定できるもの、実質的に同一のもの、いわゆる均等の範囲のものが含まれる。以下の実施例では、ガスタービンについて実施される点検及び検査の業務内容を確認する検査記録装置にて実行される処理の一例について説明する。本発明に係る検査記録装置及び検査記録評価方法は、ガスタービンに限らず、検査対象となるあらゆる製品の検査業務の内容を確認する作業について適用できる。
【実施例１】
【００２１】
図１は、本実施例に係る概念的な構成の一例を示す図である。作業員は、図１に示す点検用端末１０を携帯し、ガスタービンの点検及び検査の業務を実施する。点検用端末１０には、作業員によりガスタービンの点検及び検査に関する検査入力業務が行われ、検査記録データとして記録される。検査記録装置１００は、点検用端末１０から検査記録データを取得して、検査記録データの確認業務に関する処理を実行する。
【００２２】
［検査記録装置の構成］
図２は、実施例１に係る検査記録装置の機能構成の一例を示すブロック図である。図２に示すように、検査記録装置１００は、表示部１１０と、入力部１２０と、通信部１３０と、媒体読取部１４０と、制御部１５０と、記憶部１６０とを備える。
【００２３】
表示部１１０は、液晶パネルまたは有機ＥＬ（Organic  Electro‐Luminescence）パネル等の表示装置を有し、制御部１５０から送信される制御信号に基づいて、文字、記号、および図形等の各種情報を表示する。入力部１２０は、キーボードやマウス等の入力装置を有し、利用者が入力装置に対して行った操作に対応する信号（表示部１１０に表示されるポインタの位置など）を制御部１５０へ出力する。通信部１３０は、所定の通信プロトコルに基づいて、他の装置との間での情報の送受信を制御する。媒体読取部１４０は、光ディスク、光磁気ディスク、メモリカード等の可搬の非一過的（non‐transitory）な記憶媒体からプログラムやデータを読み取る。
【００２４】
制御部１５０は、演算装置であるＣＰＵ（Central  Processing  Unit）１５１と、記憶装置であるメモリ１５２とを備え、これらのハードウェア資源を用いてプログラムを実行することによって各種の機能を実現する。具体的には、制御部１５０は、記憶部１６０に記憶されているプログラム（例えば、制御プログラム１６１）を読み出してメモリ１５２に展開し、メモリ１５２に展開されたプログラムに含まれる命令をＣＰＵ１５１に実行させる。そして、制御部１５０は、ＣＰＵ１５１による命令の実行結果に応じて、メモリ１５２および記憶部１６０に対してデータの読み書きを行ったり、表示部１１０への情報の出力及び通信部１３０による通信等の動作を制御したりする。
【００２５】
記憶部１６０は、磁気記憶装置または半導体記憶装置等の不揮発性を有する記憶装置を備え、各種のプログラムおよびデータを記憶する。記憶部１６０に記憶されるプログラムには、制御プログラム１６１が含まれる。記憶部１６０に記憶されるデータには、点検用端末１０から取得した検査記録データ１６２、管理データ１６３、損傷状態確認状況データ１６４及び色属性決定テーブル１６５が含まれる。記憶部１６０は、記憶部の一例である。
【００２６】
図２において記憶部１６０が記憶するプログラム又はデータの全体または一部は、媒体読取部１４０が読み取り可能な記憶媒体に記憶されていてもよい。あるいは、図２において記憶部１６０が記憶するプログラム又はデータの全体または一部は、通信部１３０による通信によって他の装置から取得されてもよい。例えば、実施例１において、検査記録装置１００は、点検用端末１０に記憶されている検査記録データが書き込まれた記憶媒体を、媒体読取部１４０により読み取ってもよい。あるいは、検査記録装置１００は、通信部１３０による通信によって、点検用端末１０から検査記録データを取得してもよい。
【００２７】
検査記録データ１６２は、検査対象となるガスタービンの画像情報と、ガスタービンの損傷に関する情報とを含んで構成される。検査記録データ１６２は、例えば、検査対象となるガスタービンについて行われた点検及び検査の業務ごとに記録された複数の単位データで構成される。単位データには、それぞれ一意なシリアルＮｏが識別情報として付与される。
【００２８】
管理データ１６３は、損傷状態確認状況データ１６４を効率的に管理及び検索するためのデータである。図３は、管理データのデータ構成の一例を示す図である。管理データ１６３は、図３に示すように、シリアルＮｏ、チェック実施状況、及び損傷データＮｏを対応付けて記憶する。シリアルＮｏは、検査記録データ１６２を構成する各単位データに付与されているデータに対応する。チェック実施状況は、各データごとに確認作業が完了しているかを示す情報である。損傷データＮｏは、損傷状態確認状況データ１６４ごとに一意に付与される識別情報である。図３に示す例では、シリアルＮｏ：「０００１」に対応付けて、チェック実施状況：「未実施」及び損傷データＮｏ：「Ｄ００１」が記憶されている。
【００２９】
損傷状態確認状況データ１６４は、ガスタービンの損傷に関する情報の確認状況を示すデータである。損傷状態確認状況データ１６４は、例えば、検査対象となるガスタービンについて行われた点検及び検査の業務ごとに記録された各記録データに対応する複数の単位データで構成される。図４は、損傷状態確認状況データのデータ構成の一例を示す図である。図４では、単位データとして、損傷データＮｏ：Ｄ００１を例に挙げて説明する。損傷状態確認状況データ１６４は、図４に示すように、損傷番号、領域、損傷種類、サイズ、確認状況、及び色属性を対応付けて記憶する。損傷番号は、単位データに含まれる損傷ごとに付与される識別情報である。領域は、ガスタービンの損傷箇所を示す情報である。損傷種類は、損傷の種類を示す情報である。サイズは、損傷の程度を示す情報である。確認状況は、該当の単位データにおける損傷の確認が行われたか否かを示す情報である。色属性は、ガスタービンの検査記録データについての確認業務において、損傷状態に関する情報の表示色を示す情報である。図４に示す例では、例えば、損傷番号：「１」に対応付けて、領域：「翼面」、損傷種類：「き裂」、サイズ：「長さ５ｍｍ」、状態：「未確認」、色属性：「黒」が記憶されている。
【００３０】
色属性決定テーブル１６５は、ガスタービンの損傷に関する情報の表示色の変更を行う場合に参照されるデータである。図５は、色属性決定テーブルのテーブル構成の一例を示す図である。色属性決定テーブル１６５は、図５に示すように、損傷種類、確認状況、及び色属性を対応付けて記憶する。図５に示す例では、例えば、損傷種類：「コーティング剥離面積Ｓ（ｍｍ２）」に対応付けて、確認状況：「確認済み」、色属性：「赤」が記憶されている。あるいは、図５に示す例では、例えば、損傷種類：「コーティング剥離面積Ｓ（ｍｍ２）」に対応付けて、確認状況：「未確認」、色属性：「黒」が記憶されている。
【００３１】
色属性決定テーブル１６５のデータ構成は、図５に示す例に限られない。図６は、色属性決定テーブルのテーブル構成の他の例を示す図である。色属性決定テーブル１６５は、図６に示すように、損傷種類、確認済みである場合の色属性及び未確認である場合の色属性を対応付けて記憶するとともに、確認済みで色属性を損傷の程度に応じて異ならせるようにしてもよい。図６に示す例では、例えば、損傷種類：「コーティング剥離面積Ｓ（ｍｍ２）」に対応付けて、確認済み＋損傷の程度（サイズ）：「０≦Ｓ＜２０」、色属性：「緑」が記憶されている。また、図６に示す例では、例えば、損傷種類：「コーティング剥離面積Ｓ（ｍｍ２）」に対応付けて、確認済み＋損傷の程度（サイズ）：「２０≦Ｓ＜４０」、色属性：「黄」が記憶されている。また、図６に示す例では、例えば、損傷種類：「コーティング剥離面積Ｓ（ｍｍ２）」に対応付けて、確認済み＋損傷の程度（サイズ）：「４０≦Ｓ」、色属性：「赤」が記憶されている。また、図６に示す例では、例えば、損傷種類：「コーティング剥離面積Ｓ（ｍｍ２）」に対応付けて、未確認＋色属性：「黒」が記憶されている。以下の説明では、図５に示す色属性決定テーブル１６５を用いる場合について説明する。
【００３２】
制御プログラム１６１は、ガスタービンの検査記録データについての確認業務において、ガスタービンの損傷のうち確認済みであるものを容易に確認させるための各種機能を提供する。例えば、制御プログラム１６１には、図２に示すように、表示制御部１６１ａ、検出部１６１ｂ、保存部１６１ｃ及び変更部１６１ｄが含まれる。
【００３３】
表示制御部１６１ａは、検査記録データ１６２を読み込んで、検査記録データ１６２に含まれる画像情報に対応する画像上に損傷状態に関する情報を展開して表示部１１０に表示させる機能を提供する。表示制御部１６１ａは、表示制御部の一例である。
【００３４】
検出部１６１ｂは、検査記録画面に表示されている損傷状態に関する情報に対する操作を検出する機能を提供する。検出部１６１ｂは、検出部の一例である。
【００３５】
保存部１６１ｃは、検出部１６１ｂにより損傷状態に関する情報に対する操作が検出された場合に、損傷状態に関する情報に対応付けて、当該損傷状態に関する情報が確認済みであることを示す情報を記憶部１６０に保存する機能を提供する。保存部１６１ｃは、保存部の一例である。
【００３６】
変更部１６１ｄは、検出部１６１ｂにより損傷状態に関する情報に対する操作が検出された場合に、損傷状態に関する情報の表示態様を変更する機能を提供する。変更部１６１ｄは、変更部の一例である。
【００３７】
［検査記録装置による処理］
図７〜図１１を用いて、実施例１に係る検査記録装置により実行される処理について説明する。図７は、実施例１に係る検査記録装置により実行される処理の流れを示すフローチャートである。図７に示す処理は、制御部１５０が、記憶部１６０に記憶されている制御プログラム１６１などを読み込むことにより実行される。
【００３８】
図７に示すように、制御部１５０は、利用者からの要求に応じて、記憶部１６０から検査記録データ１６２を読み込み、読み込んだ検査記録データ１６２に基づいて、検査記録画面を表示部１１０に表示する（ステップＳ１０１）。
【００３９】
図８は、検査記録画面の構成例を示す図である。検査記録画面５０は、図８に示すように、チェック実施状況表示領域５１、シリアルＮｏ表示領域５２、画面操作ボタン群５３、及び検査記録表示領域５４で構成される。制御部１５０は、検査記録データ１６２の中から、検査記録表示領域５４に展開するデータのシリアルＮｏに基づいて、管理データ１６３に含まれるチェック実施状況のデータを取得し、チェック実施状況表示領域５１に表示させる。制御部１５０は、検査記録データ１６２の中から、検査記録表示領域５４に展開するデータのシリアルＮｏのデータをシリアルＮｏ表示領域５２に表示させる。検査記録画面５０の画面操作ボタン群５３には、「登録ボタン」、「仮登（録）ボタン」、「閉じるボタン」、「前へボタン」、「次へボタン」が含まれる。「登録ボタン」は、検査記録画面５０での確認作業を最終的に保存する操作を受け付ける。「仮登（録）ボタン」は、検査記録画面５０での確認作業を一時的に保存する操作を受け付ける。「閉じるボタン」は、検査記録画面５０での確認作業を終了する操作を受け付ける。「前へボタン」は、検査記録画面５０に１つ前のシリアルＮｏのデータを表示させる操作を受け付ける。「次へボタン」は、検査記録画面５０に１つ後ろのシリアルＮｏのデータを表示させる操作を受け付ける。図８に示す例では、「登録ボタン」がグレーアウトした状態で表示されている例を示しているが、これは検査記録画面５０の表示されているデータ（損傷状態に関する情報）に対する確認作業を最終的に保存する操作を受け付けることができない状態であることを示している。同様に、図８に示す例において、「前へボタン」がグレーアウトした状態で表示されている例を示しているが、現在検査記録画面５０に表示中のデータ（損傷状態に関する情報）が最小のシリアルＮｏに対応するデータであるので、検査記録画面５０に１つ前のシリアルＮｏのデータを表示させる操作を受け付けることができない状態であることを示している。
【００４０】
また、図８に示すように、制御部１５０は、検査記録データ１６２の中から、検査記録表示領域５４に展開するデータに含まれる画像情報に対応する画像５４ａ（ガスタービンの画像）上に損傷状態に関する情報５４ｂ−１〜５４ｂ−３を検査記録画面５０の検査記録表示領域５４に展開して表示させる。損傷状態に関する情報は、例えば、損傷種類を示すコメント、損傷状態を示す画像、コメントと画像とを接続する矢印で構成される。図８に示す例では、損傷状態に関する情報として、３つの情報（５４ｂ−１〜５４ｂ−３）が表示されている。損傷状態に関する情報である３つの情報５４ｂ−１〜５４ｂ−３は、それぞれ、損傷種類を示すコメントｄ１、損傷状態を示す画像ｄ２、コメントｄ１と画像ｄ２を接続する矢印ｄ３で構成されている。損傷状態に関する情報５４ｂ−１には、損傷種類を示すコメントｄ１として、「き裂長さ５ｍｍ」が表示されている。損傷状態に関する情報５４ｂ−２には、損傷種類を示すコメントｄ１として、「減肉深さ２ｍｍ」が表示されている。損傷状態に関する情報５４ｂ−３には、損傷種類を示すコメントｄ１として、「コーティング剥離面積５０ｍｍ２」が表示されている。
【００４１】
なお、制御部１５０は、検査記録データ１６２の中から、最小のシリアルＮｏに対応するデータを検査記録表示領域５４に展開する。制御部１５０は、検査記録データ１６２の中から、検査記録表示領域５４に展開するデータのシリアルＮｏの選択を利用者から予め受け付けるようにしてもよい。
【００４２】
図７の説明に戻り、制御部１５０は、検査記録画面５０を表示部１１０に表示させた後、検査記録画面５０における入力操作があったかを判定する（ステップＳ１０２）。例えば、制御部１５０は、入力部１２０から取得する信号に基づいて、入力操作があったかを判定する。
【００４３】
制御部１５０は、判定の結果、検査記録画面５０における入力操作があった場合には（ステップＳ１０２，Ｙｅｓ）、損傷状態に関する情報に対する操作が検出されたかを判定する（ステップＳ１０３）。例えば、制御部１５０は、入力部１２０から取得する検査記録画面５０におけるポインタの位置と、検査記録画面５０に表示される損傷状態に関する情報（図８に示す５４ｂ−１〜５４ｂ−３など）との位置関係に基づいて、損傷状態に関する情報に対する操作を検出する。
【００４４】
制御部１５０は、判定の結果、損傷状態に関する情報に対する操作が検出された場合には（ステップＳ１０３，Ｙｅｓ）、続いて、該当の損傷状態に関する情報が確認済みの状態かを判定する（ステップＳ１０４）。例えば、制御部１５０は、ステップＳ１０３において操作が検出された損傷状態に関する情報について、記憶部１６０に記憶されている損傷状態確認状況データ１６４を参照し、確認済みの状態であるかを判定する。
【００４５】
制御部１５０は、判定の結果、該当の損傷状態に関する情報が確認済みの状態ではない場合には（ステップＳ１０４，Ｎｏ）、該当の損傷状態に関する情報の確認状況を確認済みに更新する（ステップＳ１０５）。具体的には、制御部１５０は、ステップＳ１０３において操作が検出された損傷状態に関する情報に対応する確認状況を、「未確認」から「確認済み」に更新する。
【００４６】
続いて、制御部１５０は、色属性決定テーブル１６５を参照して、検査記録画面５０に表示されている損傷状態に関する情報のうち、該当の損傷状態に関する情報の表示色を変更する（ステップＳ１０６）。実施例１において、例えば、制御部１５０は、該当の損傷状態に関する情報の表示色を、「黒」から「赤」に変更する。なお、制御部１５０は、損傷状態に関する情報の表示色を変更する代わりに、損傷状態に関する情報に含まれるコメント部分（例えば、図８に示すｄ１）の字体を変更するなど、操作が検出されたことがわかるような任意の強調表示の方法を適用できる。
【００４７】
続いて、制御部１５０は、該当の損傷状態に関する情報の色属性をＳ１０６の表示色に更新する（ステップＳ１０７）。実施例１において、例えば、制御部１５０は、該当の損傷状態に関する情報の表示色を、「黒」から「赤」に更新する。
【００４８】
図９は、図７に示す処理における損傷状態に関する情報の遷移例を示す図である。操作が検出された損傷状態に関する情報（例えば、図８に示す５４ｂ−３）が確認済みの状態ではないと判定された場合、図９のステップＳ１１からステップＳ１２に示すように、操作が検出された損傷状態に関する情報に対応する確認状況が、制御部１５０によって「未確認」から「確認済み」に更新される。続いて、操作が検出された損傷状態に関する情報の表示色の変更が実行された場合、図９のステップＳ１２からステップＳ１３に示すように、操作が検出された損傷状態に関する情報に対応する色属性が、制御部１５０によって「黒」から「赤」に更新される。
【００４９】
図７の説明に戻り、制御部１５０は、続いて、現在の検査記録画面５０に表示されている損傷状態に関する情報の全てが確認済みの状態かを判定する（ステップＳ１０８）。
【００５０】
制御部１５０は、判定の結果、損傷状態に関する情報の全てが確認済みの状態である場合には（ステップＳ１０８，Ｙｅｓ）、検査記録画面５０に表示されている「登録ボタン」の表示態様をグレーアウトした状態から操作可能な状態に変更する（ステップＳ１０９）。図１０は、図７に示す処理における検査記録画面の遷移例を示す図である。損傷状態に関する情報の全て（例えば、図８に示す５４ｂ−１〜５４ｂ−３）が確認済みの状態である場合、図１０のステップＳ２１〜ステップＳ２２に示すように、検査記録画面５０に表示されている「登録ボタン」の表示態様が、制御部１５０によりグレーアウトした状態から操作可能な状態に変更される。
【００５１】
続いて、制御部１５０は、検査記録画面５０に表示されている「閉じるボタン」に対する操作があったかを判定する（ステップＳ１１０）。
【００５２】
制御部１５０は、判定の結果、「閉じるボタン」に対する操作があった場合には（ステップＳ１１０，Ｙｅｓ）、図７に示す処理を終了する。
【００５３】
一方、制御部１５０は、判定の結果、「閉じるボタン」に対する操作がない場合には（ステップＳ１１０，Ｎｏ）、検査記録画面５０に表示されている「仮登（録）ボタン」に対する操作があったかを判定する（ステップＳ１１１）。
【００５４】
制御部１５０は、判定の結果、「仮登（録）ボタン」に対する操作があった場合には（ステップＳ１１１，Ｙｅｓ）、該当の損傷状態に関する情報に対する更新（確認状況及び色属性）を保存して（ステップＳ１１２）、図７に示す処理を終了する。すなわち、ステップＳ１１１において、「仮登（録）ボタン」に対する操作があった場合、制御部１５０は、検査記録画面５０に表示されているシリアルＮｏ（例えば、０００１）に対応する損傷状態に関する情報（例えば、Ｄ００１）のうち、現時点までに確認済みのものを一旦保存する。作業員が、検査記録画面５０に表示されているシリアルＮｏ（例えば、０００１）に対応する損傷状態に関する情報の確認作業を一時的に中断する場合に対応する。
【００５５】
一方、制御部１５０は、判定の結果、「仮登（録）ボタン」に対する操作がない場合には（ステップＳ１１１，Ｎｏ）、検査記録画面５０に表示されている「登録ボタン」に対する操作があったかを判定する（ステップＳ１１３）。
【００５６】
制御部１５０は、判定の結果、検査記録画面５０に表示されている「登録ボタン」に対する操作があった場合には（ステップＳ１１３，Ｙｅｓ）、全ての損傷状態に関する情報に対する更新（確認状況及び色属性）を保存して、チェック実施状況を更新し（ステップＳ１１４）、図７に示す処理を終了する。すなわち、ステップＳ１１３において、「登録ボタン」に対する操作があった場合、制御部１５０は、検査記録画面５０に表示されているシリアルＮｏ（例えば、０００１）に対応する損傷状態に関する情報（例えば、Ｄ００１）の全てを確認済みとして保存する。作業員が、検査記録画面５０に表示されているシリアルＮｏ（例えば、０００１）に対応する損傷状態に関する情報の確認作業を完了する場合に対応する。図１１は、図７に示す処理における検査記録画面の遷移例を示す図である。検査記録画面５０に表示されている「登録ボタン」に対する操作があった場合、図１１のステップＳ３１からステップＳ３２に示すように、検査記録画面５０に表示されているチェック実施状況の欄が、制御部１５０により「未実施」から「実施」に更新される。制御部１５０は、記憶部１６０に記憶されている管理データ１６３のチェック実施状況のデータも、「未実施」から「実施」に更新して保存する。
【００５７】
一方、制御部１５０は、判定の結果、検査記録画面５０に表示されている「登録ボタン」に対する操作がない場合には（ステップＳ１１３，Ｎｏ）、上記ステップＳ１０２に戻る。
【００５８】
上記ステップＳ１０８において、制御部１５０は、判定の結果、損傷状態に関する情報の全てが確認済みの状態ではない場合には（ステップＳ１０８，Ｎｏ）、上記ステップＳ１０９のように、検査記録画面５０に表示されている「登録ボタン」の表示態様をグレーアウトした状態から操作可能な状態には変更せずに、上記ステップＳ１１０に移る。
【００５９】
上記ステップＳ１０４において、制御部１５０は、判定の結果、該当の損傷状態に関する情報が確認済みの状態である場合には（ステップＳ１０４，Ｙｅｓ）、上記ステップＳ１１０に移る。
【００６０】
上記ステップＳ１０３において、制御部１５０は、判定の結果、損傷状態に関する情報に対する操作が検出されない場合には（ステップＳ１０３，Ｎｏ）、上記ステップＳ１１０に移る。
【００６１】
上記ステップＳ１０２において、制御部１５０は、判定の結果、検査記録画面５０における入力操作がない場合には（ステップＳ１０２，Ｎｏ）、上記ステップＳ１１０に移る。
【００６２】
上記図７に示す処理において、制御部１５０は、「仮登（録）ボタン」に対する操作があった場合、それまでに実行された損傷状態に関する情報に対する更新（確認状況及び色属性）をキャッシュなどに一時的に格納し、「登録ボタン」に対する操作があるまでは、記憶部１６０に格納されないようにしてもよい。
【００６３】
上記図７に示す処理では、制御部１５０は、検査記録画面５０に表示されているシリアルＮｏに対応する損傷状態に関する情報の確認が完了した段階で、損傷状態に関する情報の更新を記憶部１６０に保存可能な状態とする例を説明した。しかしながら、これに限定されるものではなく、全てのシリアルＮｏに対応する損傷状態に関する情報の確認作業が完了するまで、損傷状態に関する情報の更新を記憶部１６０に保存できないようにしてもよい。
【００６４】
上述してきたように、実施例１では、検査記録装置１００は、検査記録画面５０に表示されている損傷状態に関する情報のうち、利用者により操作された情報の表示態様を変更するので、損傷状態に関する情報のうち確認済みであるものを容易に確認させることができる。このため、実施例１によれば、検査業務において確認漏れが発生することを防止することができる。
【００６５】
また、実施例１では、検査記録装置１００は、検査記録画面５０に表示されている損傷状態に関する情報が全て確認されるまでは、損傷状態に関する情報に対する更新を保存しないので、損傷状態を全て確認するという作業を利用者に徹底させることができる。このため、実施例１によれば、検査業務において確認漏れが発生することを防止することができる。
【実施例２】
【００６６】
以下の実施例２では、損傷状態に関する情報とともに、損傷状態に関する情報をリスト化した一覧情報を検査記録画面５０にさらに表示させる場合の検査記録装置５０による処理を説明する。
【００６７】
図１２及び図１３を用いて、実施例２に係る検査記録装置１００による処理について説明する。図１２は、実施例２に係る検査記録装置により実行される処理の流れを示すフローチャートである。図１２に示す処理は、制御部１５０が、記憶部１６０に記憶されている制御プログラム１６１などを読み込むことにより実行される。図１２に示す処理は、ステップＳ２０１、ステップＳ２１５〜ステップＳ２２０の処理が実施例１とは異なる。
【００６８】
図１２に示すように、制御部１５０は、利用者からの要求に応じて、記憶部１６０から検査記録データ１６２を読み込み、読み込んだ検査記録データ１６２に基づいて、損傷一覧を含む検査記録画面５０を表示部１１０に表示する（ステップＳ２０１）。図１３は、実施例２に係る検査記録画面に表示される情報の一例を示す図である。図１３に示すように、制御部１５０は、損傷状態に関する情報がリスト化された損傷一覧５５を含む検査記録画面５０を表示部１１０に表示させる。
【００６９】
続いて、制御部１５０は、検査記録画面５０における入力操作があったかを判定する（ステップＳ２０２）。
【００７０】
制御部１５０は、判定の結果、検査記録画面５０における入力操作があった場合には（ステップＳ２０２，Ｙｅｓ）、損傷状態に関する情報に対する操作が検出されたかを判定する（ステップＳ２０３）。
【００７１】
制御部１５０は、判定の結果、損傷状態に関する情報に対する操作が検出された場合には（ステップＳ２０３，Ｙｅｓ）、続いて、該当の損傷状態に関する情報が確認済みの状態かを判定する（ステップＳ２０４）。
【００７２】
制御部１５０は、判定の結果、該当の損傷状態に関する情報が確認済みの状態ではない場合には（ステップＳ２０４，Ｎｏ）、該当の損傷状態に関する情報の確認状況を確認済みに更新する（ステップＳ２０５）。
【００７３】
続いて、制御部１５０は、色属性決定テーブル１６５を参照して、検査記録画面５０に表示されている損傷状態に関する情報のうち、該当の損傷状態に関する情報の表示色を変更し（ステップＳ２０６）、制御部１５０は、該当の損傷状態に関する情報の色属性をＳ２０６の表示色に更新する（ステップＳ２０７）。
【００７４】
続いて、制御部１５０は、現在の検査記録画面５０に表示されている損傷状態に関する情報の全てが確認済みの状態かを判定する（ステップＳ２０８）。
【００７５】
制御部１５０は、判定の結果、損傷状態に関する情報の全てが確認済みの状態である場合には（ステップＳ２０８，Ｙｅｓ）、検査記録画面５０に表示されている「登録ボタン」の表示態様をグレーアウトした状態から操作可能な状態に変更する（ステップＳ２０９）。
【００７６】
続いて、制御部１５０は、検査記録画面５０に表示されている「閉じるボタン」に対する操作があったかを判定する（ステップＳ２１０）。
【００７７】
制御部１５０は、判定の結果、「閉じるボタン」に対する操作があった場合には（ステップＳ２１０，Ｙｅｓ）、図１２に示す処理を終了する。
【００７８】
一方、制御部１５０は、判定の結果、「閉じるボタン」に対する操作がない場合には（ステップＳ２１０，Ｎｏ）、検査記録画面５０に表示されている「仮登（録）ボタン」に対する操作があったかを判定する（ステップＳ２１１）。
【００７９】
制御部１５０は、判定の結果、「仮登（録）ボタン」に対する操作があった場合には（ステップＳ２１１，Ｙｅｓ）、該当の損傷状態に関する情報に対する更新（確認状況及び色属性）を保存して（ステップＳ２１２）、図１２に示す処理を終了する。
【００８０】
一方、制御部１５０は、判定の結果、「仮登（録）ボタン」に対する操作がない場合には（ステップＳ２１１，Ｎｏ）、検査記録画面５０に表示されている「登録ボタン」に対する操作があったかを判定する（ステップＳ２１３）。
【００８１】
制御部１５０は、判定の結果、検査記録画面５０に表示されている「登録ボタン」に対する操作があった場合には（ステップＳ２１３，Ｙｅｓ）、全ての損傷状態に関する情報に対する更新（確認状況及び色属性）を保存して、チェック実施状況を更新し（ステップＳ２１４）、図１２に示す処理を終了する。
【００８２】
一方、制御部１５０は、判定の結果、検査記録画面５０に表示されている「登録ボタン」に対する操作がない場合には（ステップＳ２１３，Ｎｏ）、上記ステップＳ２０２に戻る。
【００８３】
上記ステップＳ２０８において、制御部１５０は、判定の結果、損傷状態に関する情報の全てが確認済みの状態ではない場合には（ステップＳ２０８，Ｎｏ）、上記ステップＳ２０９のように、検査記録画面５０に表示されている「登録ボタン」の表示態様をグレーアウトした状態から操作可能な状態には変更せずに、上記ステップＳ２１０に移る。
【００８４】
上記ステップＳ２０４において、制御部１５０は、判定の結果、該当の損傷状態に関する情報が確認済みの状態である場合には（ステップＳ２０４，Ｙｅｓ）、上記ステップＳ２０８に移る。なお、判定の結果、該当の損傷状態に関する情報が確認済みの状態である場合に、制御部１５０が上記ステップＳ２１０に移る処理手順としてもよい。
【００８５】
上記ステップＳ２０３において、制御部１５０は、判定の結果、損傷状態に関する情報に対する操作が検出されない場合には（ステップＳ２０３，Ｎｏ）、上記ステップＳ２０８に移る。なお、判定の結果、損傷状態に関する情報に対する操作が検出されない場合に、制御部１５０が上記ステップＳ２１０に移る処理手順としてもよい。
【００８６】
上記ステップＳ２０２において、制御部１５０は、判定の結果、検査記録画面５０における入力操作がない場合には（ステップＳ２０２，Ｎｏ）、続いて、損傷一覧５５に対する操作が検出されたかを判定する（ステップＳ２１５）。
【００８７】
制御部１５０は、判定の結果、損傷一覧５５に対する操作が検出された場合には（ステップＳ２１５，Ｙｅｓ）、操作が検出された損傷状態に関する情報が確認済みの状態かを判定する（ステップＳ２１６）。
【００８８】
制御部１５０は、判定の結果、該当の損傷状態に関する情報が確認済みの状態ではない場合には（ステップＳ２１６，Ｎｏ）、損傷一覧５５に表示される情報のうち、該当する損傷状態に関する情報の表示態様を確認済みの状態に変更する（ステップＳ２１７）。具体的には、制御部１５０は、例えば、図１３に示す損傷一覧５５のうち、「損傷：コーティング剥離」の行に対する操作が検出された場合には、「損傷：コーティング剥離」の行に対応する「済」の箇所が選択された状態であることが分かるように、「損傷：コーティング剥離」の行に対応する表示態様を変更する。「損傷：コーティング剥離」の行に対応する「未済」、「済」及び「保留」の箇所は、例えば、ラジオボタンのような表示態様で構成されており、利用者により操作された箇所が選択された状態にあることが分かるように、利用者により操作された箇所の画像とそれ以外の箇所の画像とを異ならせる。
【００８９】
続いて、制御部１５０は、該当の損傷状態に関する情報の確認状況を確認済みに更新する（ステップＳ２１８）。続いて、制御部１５０は、色属性決定テーブル１６５を参照して、検査記録画面５０に表示されている損傷状態に関する情報のうち、該当の損傷状態に関する情報の表示色を変更する（ステップＳ２１９）。図１３に示すように、損傷一覧５５に表示される情報のうち、操作が検出された損傷状態に関する情報（例えば、５４ｂ−３）の表示色を変更する。
【００９０】
続いて、制御部１５０は、該当の損傷状態に関する情報の色属性をＳ２１９の表示色に更新した後（ステップＳ２２０）、上記ステップＳ２０８に移る。
【００９１】
上記ステップＳ２１６において、制御部１５０は、判定の結果、該当の損傷状態に関する情報が確認済みの状態である場合には（ステップＳ２１６，Ｙｅｓ）、上記ステップＳ２１０に移る。
【００９２】
上記ステップＳ２１５において、制御部１５０は、判定の結果、損傷一覧５５に対する操作が検出されない場合には（ステップＳ２１５，Ｎｏ）、上記ステップＳ２１０に移る。
【００９３】
実施例２では、検査記録装置１００は、検査記録画面５０の検査記録表示領域５４に、損傷状態に関する情報を表示する例を説明したが、損傷状態に関する情報をリスト化した損傷一覧５５を検査記録画面５０にさらに表示させるので、損傷情報が確認済みの状態であるか否かを利用者に容易に確認させることができる。このため、実施例２によれば、検査業務において確認漏れが発生することを防止することができる。
【実施例３】
【００９４】
以下の実施例３では、検査記録画面５０に表示する損傷一覧５５において操作が検出された箇所を、検査記録画面５０の検査記録表示領域５４に強調表示させる場合の検査記録装置５０の処理を説明する。強調表示とは、点滅表示、拡大表示、縮小表示、表示色の変更などが該当する。
【００９５】
図１４〜図１７を用いて、実施例３に係る検査記録装置１００による処理について説明する。図１４は、実施例３に係る検査記録装置により実行される処理の流れを示すフローチャートである。図１４に示す処理は、制御部１５０が、記憶部１６０に記憶されている制御プログラム１６１などを読み込むことにより実行される。図１４に示す処理は、ステップＳ３１６及びステップＳ３２２の処理が実施例２とは異なる。
【００９６】
図１４に示すように、制御部１５０は、利用者からの要求に応じて、記憶部１６０から検査記録データ１６２を読み込み、読み込んだ検査記録データ１６２に基づいて、損傷一覧５５を含む検査記録画面５０（図１３参照）を表示部１１０に表示する（ステップＳ３０１）。
【００９７】
続いて、制御部１５０は、検査記録画面５０における入力操作があったかを判定する（ステップＳ３０２）。
【００９８】
制御部１５０は、判定の結果、検査記録画面５０における入力操作があった場合には（ステップＳ３０２，Ｙｅｓ）、損傷状態に関する情報に対する操作が検出されたかを判定する（ステップＳ３０３）。
【００９９】
制御部１５０は、判定の結果、損傷状態に関する情報に対する操作が検出された場合には（ステップＳ３０３，Ｙｅｓ）、続いて、該当の損傷状態に関する情報が確認済みの状態かを判定する（ステップＳ３０４）。
【０１００】
制御部１５０は、判定の結果、該当の損傷状態に関する情報が確認済みの状態ではない場合には（ステップＳ３０４，Ｎｏ）、該当の損傷状態に関する情報の確認状況を確認済みに更新する（ステップＳ３０５）。
【０１０１】
続いて、制御部１５０は、色属性決定テーブル１６５を参照して、検査記録画面５０に表示されている損傷状態に関する情報のうち、該当の損傷状態に関する情報の表示色を変更し（ステップＳ３０６）、制御部１５０は、該当の損傷状態に関する情報の色属性をＳ３０６の表示色に更新する（ステップＳ３０７）。
【０１０２】
続いて、制御部１５０は、現在の検査記録画面５０に表示されている損傷状態に関する情報の全てが確認済みの状態かを判定する（ステップＳ３０８）。
【０１０３】
制御部１５０は、判定の結果、損傷状態に関する情報の全てが確認済みの状態である場合には（ステップＳ３０８，Ｙｅｓ）、検査記録画面５０に表示されている「登録ボタン」の表示態様をグレーアウトした状態から操作可能な状態に変更する（ステップＳ３０９）。
【０１０４】
続いて、制御部１５０は、検査記録画面５０に表示されている「閉じるボタン」に対する操作があったかを判定する（ステップＳ３１０）。
【０１０５】
制御部１５０は、判定の結果、「閉じるボタン」に対する操作があった場合には（ステップＳ３１０，Ｙｅｓ）、図１４に示す処理を終了する。
【０１０６】
一方、制御部１５０は、判定の結果、「閉じるボタン」に対する操作がない場合には（ステップＳ３１０，Ｎｏ）、検査記録画面５０に表示されている「仮登（録）ボタン」に対する操作があったかを判定する（ステップＳ３１１）。
【０１０７】
制御部１５０は、判定の結果、「仮登（録）ボタン」に対する操作があった場合には（ステップＳ３１１，Ｙｅｓ）、該当の損傷状態に関する情報に対する更新（確認状況及び色属性）を保存して（ステップＳ３１２）、図１４に示す処理を終了する。
【０１０８】
一方、制御部１５０は、判定の結果、「仮登（録）ボタン」に対する操作がない場合には（ステップＳ３１１，Ｎｏ）、検査記録画面５０に表示されている「登録ボタン」に対する操作があったかを判定する（ステップＳ３１３）。
【０１０９】
制御部１５０は、判定の結果、検査記録画面５０に表示されている「登録ボタン」に対する操作があった場合には（ステップＳ３１３，Ｙｅｓ）、全ての損傷状態に関する情報に対する更新（確認状況及び色属性）を保存して、チェック実施状況を更新し（ステップＳ３１４）、図１４に示す処理を終了する。
【０１１０】
一方、制御部１５０は、判定の結果、検査記録画面５０に表示されている「登録ボタン」に対する操作がない場合には（ステップＳ３１３，Ｎｏ）、上記ステップＳ３０２に戻る。
【０１１１】
上記ステップＳ３０８において、制御部１５０は、判定の結果、損傷状態に関する情報の全てが確認済みの状態ではない場合には（ステップＳ３０８，Ｎｏ）、上記ステップＳ３０９のように、検査記録画面５０に表示されている「登録ボタン」の表示態様をグレーアウトした状態から操作可能な状態には変更せずに、上記ステップＳ３１０に移る。
【０１１２】
上記ステップＳ３０４において、制御部１５０は、判定の結果、該当の損傷状態に関する情報が確認済みの状態である場合には（ステップＳ３０４，Ｙｅｓ）、上記ステップＳ３０８に移る。なお、判定の結果、該当の損傷状態に関する情報が確認済みの状態である場合に、制御部１５０が上記ステップＳ３１０に移る処理手順としてもよい。
【０１１３】
上記ステップＳ３０３において、制御部１５０は、判定の結果、損傷状態に関する情報に対する操作が検出されない場合には（ステップＳ３０３，Ｎｏ）、上記ステップＳ３０８に移る。なお、判定の結果、損傷状態に関する情報に対する操作が検出されない場合に、制御部１５０が上記ステップＳ３１０に移る処理手順としてもよい。
【０１１４】
上記ステップＳ３０２において、制御部１５０は、判定の結果、検査記録画面５０における入力操作がない場合には（ステップＳ３０２，Ｎｏ）、続いて、損傷一覧５５に対する操作が検出されたかを判定する（ステップＳ３１５）。
【０１１５】
制御部１５０は、判定の結果、損傷一覧５５に対する操作が検出された場合には（ステップＳ３１５，Ｙｅｓ）、検査記録画面５０に表示される「選択ボタン」に対する操作であるかを判定する（ステップＳ３１６）。
【０１１６】
制御部１５０は、判定の結果、「選択ボタン」に対する操作ではない場合には（ステップＳ３１６，Ｎｏ）、損傷一覧５５の損傷状態に関する情報に対する操作であると判断し、操作が検出された損傷状態に関する情報が確認済みの状態かを判定する（ステップＳ３１７）。
【０１１７】
制御部１５０は、判定の結果、該当の損傷状態に関する情報が確認済みの状態ではない場合には（ステップＳ３１７，Ｎｏ）、損傷一覧５５に表示される情報のうち、該当する損傷状態に関する情報の表示態様を確認済みの状態に変更する（ステップＳ３１８）。
【０１１８】
続いて、制御部１５０は、該当の損傷状態に関する情報の確認状況を確認済みに更新する（ステップＳ３１９）。続いて、制御部１５０は、色属性決定テーブル１６５を参照して、検査記録画面５０に表示されている損傷状態に関する情報のうち、該当の損傷状態に関する情報の表示色を変更する（ステップＳ３２０）。
【０１１９】
続いて、制御部１５０は、該当の損傷状態に関する情報の色属性をＳ３２０の表示色に更新した後（ステップＳ３２１）、上記ステップＳ３０８に移る。
【０１２０】
上記ステップＳ３１６において、制御部１５０は、判定の結果、「選択ボタン」に対する操作である場合には（ステップＳ３１６，Ｙｅｓ）、強調表示処理を実行し（ステップＳ３２２）、上記ステップＳ３１０に移る。図１５は、図１４に示す処理における検査記録画面の遷移例を示す図である。図１５のステップＳ４１からステップＳ４２に示すように、検査記録画面５０に表示される「選択ボタン５５ａ」に対する操作が検出された場合、「選択ボタン５５ａ」に対応する行の情報が、制御部１５０により検査記録表示領域５４に、図１５に示す例では、拡大表示される。
【０１２１】
上記ステップＳ３１７において、制御部１５０は、判定の結果、該当の損傷状態に関する情報が確認済みの状態である場合には（ステップＳ３１７，Ｙｅｓ）、上記ステップＳ３０８に移る。なお、判定の結果、該当の損傷状態に関する情報が確認済みの状態である場合に、制御部１５０が上記ステップＳ３１０に移る処理手順としてもよい。
【０１２２】
上記ステップＳ３１５において、制御部１５０は、判定の結果、損傷一覧５５に対する操作が検出されない場合には（ステップＳ３１５，Ｎｏ）、上記ステップＳ３０８に移る。なお、判定の結果、損傷一覧５５に対する操作が検出されない場合に、制御部１５０が上記ステップＳ３１０に移る処理手順としてもよい。
【０１２３】
以下、図１４に示すステップＳ３２２の強調表示処理について説明する。図１６は、実施例３に係る強調表示処理の流れを示すフローチャートである。図１６では、強調表示の一例として、検査記録画面５０に表示する損傷一覧５５において操作が検出された箇所を、検査記録画面５０の検査記録表示領域５４に拡大表示する場合の処理について説明する。図１６に示すように、制御部１５０は、損傷一覧５５において選択指示された損傷に関する情報を取り囲む最小の矩形の重心の座標を算出する（ステップＳ４０１）。図１７は、実施例３に係る強調表示処理の説明に用いる図である。例えば、損傷一覧５５において「損傷：コーティング剥離」の行が操作された場合、図１７に示す矩形ＭＫが、損傷一覧５５において選択指示された損傷に関する情報を取り囲む最小の矩形となる。
【０１２４】
続いて、制御部１５０は、ステップＳ４０１の矩形における任意の１つの頂点の座標を算出する（ステップＳ４０２）。
【０１２５】
続いて、制御部１５０は、ステップＳ４０１における矩形の重心のＸ座標と、ステップＳ４０２における矩形の任意の頂点のＸ座標との差の絶対値である値Ａを算出する（ステップＳ４０３）。
【０１２６】
続いて、制御部１５０は、ステップＳ４０１における矩形の重心のＹ座標と、ステップＳ４０２における矩形の任意の頂点のＹ座標との差の絶対値である値Ｂを算出する（ステップＳ４０４）。
【０１２７】
続いて、制御部１５０は、検査記録表示領域５４のＸ方向（図１７に示すＸ軸方向）の幅を（２−α）で除算した値Ｃを算出する（ステップＳ４０５）。なお、αは、所定のマージンであり、予め設定されるものとする。
【０１２８】
続いて、制御部１５０は、検査記録表示領域５４のＹ方向（図１７に示すＹ軸方向）の幅を（２−β）で除算した値Ｄを算出する（ステップＳ４０６）。なお、βは、所定のマージンであり、予め設定されるものとする。
【０１２９】
続いて、制御部１５０は、ステップＳ４０５で算出した値ＣをステップＳ４０３で算出した値Ａで除算した値Ｅを算出する（ステップＳ４０７）。
【０１３０】
続いて、制御部１５０は、ステップＳ４０６で算出した値ＤをステップＳ４０４で算出した値Ｂで除算した値Ｆを算出する（ステップＳ４０８）。
【０１３１】
続いて、制御部１５０は、ステップＳ４０１の重心の座標と、検査記録表示領域５４の中心の座標とが一致するように、検査表示領域５４に表示されている画像等を移動させる（ステップＳ４０９）。
【０１３２】
続いて、制御部１５０は、ステップＳ４０７で算出した値Ｅが、ステップＳ４０８で算出した値Ｆよりも小さいかを判定する（ステップＳ４１０）。
【０１３３】
制御部１５０は、判定の結果、ステップＳ４０７で算出した値Ｅが、ステップＳ４０８で算出した値Ｆよりも小さい場合には（ステップＳ４１０，Ｙｅｓ）、検査記録表示領域５４に表示されている画像等を値Ｅ倍の倍率で拡大し（ステップＳ４１１）、図１６に示す処理を終了する。
【０１３４】
一方、制御部１５０は、判定の結果、ステップＳ４０７で算出した値Ｅが、ステップＳ４０８で算出した値Ｆよりも小さくない場合には（ステップＳ４１０，Ｎｏ）、検査記録表示領域５４に表示されている画像等を値Ｆ倍の倍率で拡大し（ステップＳ４１２）、図１６に示す処理を終了する。
【０１３５】
上記ステップＳ４０５で算出される値Ｃ、及び上記ステップＳ４０６で算出される値Ｄは、予め算出された状態で検査記録装置１００に格納されていてもよい。
【０１３６】
実施例３では、検査記録装置１００は、検査記録画面５０に表示する損傷一覧５５において操作が検出された箇所を、検査記録画面５０の検査記録表示領域５４に拡大表示させるので、損傷状態を確認する利用者の利便性を向上させることができる。このため、実施例３によれば、検査業務において確認漏れが発生することを防止することができる。
【０１３７】
なお、上記の実施例で示した本発明の態様は、本発明の要旨を逸脱しない範囲で任意に変更することができる。例えば、上記の実施例で示した制御プログラム１６１は、複数のモジュールに分割されていてもよいし、他のプログラムと統合されていてもよい。
【符号の説明】
【０１３８】
１０    点検用端末
１００  検査記録装置
１１０  表示部
１２０  入力部
１３０  通信部
１４０  媒体読取部
１５０  制御部
１６０  記憶部
１６１  制御プログラム
１６２  検査記録データ
１６３  管理データ
１６４  損傷状態確認状況データ
１６５  色属性決定テーブル
【図１】
2015078964.tif 000003
【図２】
2015078964.tif 000004
【図３】
2015078964.tif 000005
【図４】
2015078964.tif 000006
【図５】
2015078964.tif 000007
【図６】
2015078964.tif 000008
【図７】
2015078964.tif 000009
【図８】
2015078964.tif 000010
【図９】
2015078964.tif 000011
【図１０】
2015078964.tif 000012
【図１１】
2015078964.tif 000013
【図１２】
2015078964.tif 000014
【図１３】
2015078964.tif 000015
【図１４】
2015078964.tif 000016
【図１５】
2015078964.tif 000017
【図１６】
2015078964.tif 000018
【図１７】
2015078964.tif 000019